(57)【要約】【課題】運転中にローラーブラインド装置の内部で発生しかつ外部へ達する音響が低減されるローラーブラインド装置を提供する。【解決手段】本発明は、引込可能な可撓性の平面構成体の収容のための主延伸方向（２）に延伸する中空管状の巻取シャフト（１０）と、巻取シャフト（１０）の中に挿入され、かつ主延伸方向（２）に延伸するコイルばねとして形成された巻取ばね（１２）と、巻取シャフト（１０）と巻取ばね（１２）との間の環状空間（１６）の中に配設された主延伸方向（２）に延伸する減衰プロフィール（２０）とを有する、特に車両内で使用するためのローラーブラインド装置に関する。本発明により減衰プロフィール（２０）が外部接触区間（２４）により巻取シャフト（１０）の内側に、かつ内部接触区間（２２）により巻取ばね（１２）の外側に当接するように減衰プロフィールが構成されている。【選択図】図１ａ
2008082158.tif 000002
【特許請求の範囲】
【請求項１】
引込可能な可撓性の平面構成体の収容のための主延伸方向（２；１０２）に延伸する中空管状の巻取シャフト（１０；１１０；２１０；３１０；４１０；５１０；６１０）と、
前記巻取シャフトの中に挿入され、かつ主延伸方向に延伸するコイルばねとして形成された巻取ばね（１２；１１２；２１２；３１２；４１２；５１２；６１２）と、
前記巻取シャフトと前記巻取ばねとの間の環状空間（１６）の中に配設された主延伸方向に延伸する減衰プロフィール（２０；２２０；３２０；４２０；５２０；６２０）とを有する、特に車両内で使用するためのローラーブラインド装置であって、
前記減衰プロフィールは、外部接触区間（２４；２２４；３２４；４２４；５２４；６２４）により前記巻取シャフトの内側に、かつ内部接触区間（２２；２２２；３２２；４２２；５２２；６２２）により前記巻取ばねの外側に当接するように、構成されることを特徴とする、
ローラーブラインド装置。
【請求項２】
前記減衰プロフィールは、
少なくとも１つの接触領域で、前記巻取ばね（１２；２１２；４１２；５１２；６１２）の外側に当接し、かつ
少なくとも１つの離間領域で、前記巻取ばねの外側から離間するように、前記減衰プロフィール（２０；２２０；４２０；５２０；６２０）の断面が形成されることを特徴とする、請求項１に記載のローラーブラインド装置。
【請求項３】
引込可能な可撓性の平面構成体の収容のための主延伸方向（１０２）に延伸する中空管状の巻取シャフト（１１０）と、
前記巻取シャフトの中に挿入され、かつ主延伸方向に延伸するコイルばねとして形成された巻取ばね（１１２）と、
前記巻取ばね（１１２）の中に挿入され、かつ主延伸方向に延伸するスプリングロッド（１１４）と、
前記巻取シャフトと前記巻取ばねとの間の環状空間（１１８）の中に配設された主延伸方向に延伸する減衰プロフィール（１４０）とを有する、特に車両内で使用するためのローラーブラインド装置であって、
前記減衰プロフィール（１４０）は、外部接触区間（１４４）により前記巻取ばねの内側に、かつ内部の接触区間（１４２）により前記スプリングロッド（１１４）の外側に当接するように、形成されることを特徴とする、
ローラーブラインド装置。
【請求項４】
前記減衰プロフィールは、
少なくとも１つの接触領域で、前記巻取ばね（１１２）の内側に当接し、かつ
少なくとも１つの離間領域で、前記巻取ばね（１１２）の内側から離間するように、前記減衰プロフィール（１４０）の断面が形成されることを特徴とする、請求項３に記載のローラーブラインド装置。
【請求項５】
前記減衰プロフィール（２０；１４０；４２０）は、３つの接触領域で前記巻取ばねに当接するように形成され、前記接触領域の間にそれぞれ１つの離間領域があることを特徴とする、請求項２および４のいずれか一項に記載のローラーブラインド装置。
【請求項６】
前記減衰プロフィール（２０；１４０；２２０；３２０；４２０；５２０）は、減衰中空プロフィールとして形成されることを特徴とする、請求項１〜５のいずれか一項に記載のローラーブラインド装置。
【請求項７】
前記減衰プロフィール（６２０）は、少なくとも前記減衰プロフィールの全長で円周方向に連結されていない主延伸方向に延伸する複数のプロフィール部分（６３０）を有することを特徴とする、請求項１〜５のいずれか一項に記載のローラーブラインド装置。
【請求項８】
前記プロフィール部分（６３０）は、少なくとも前面で取り囲む連結ピン（６３２）によって互いに連結されることを特徴とする、請求項７に記載のローラーブラインド装置。
【請求項９】
前記内部または外部接触区間（２２、２４）の半径方向移動は、結果的に対向する前記外部または内部接触区間（２４、２２）の同じ方向に作用する半径方向移動を生じるように、前記減衰プロフィール（２０）の断面が形成されることを特徴とする、請求項１〜８のいずれか一項に記載のローラーブラインド装置。
【請求項１０】
前記内部または外部接触区間（２２ａ；４２２ａ、４２２ｃ）の半径方向移動が、結果的に少なくとも１つの別の前記内部または外部接触区間（２２ｂ、２２ｃ；４２２ｂ）の移動を生じるように、前記減衰プロフィール（２０；４２０）の断面は形成されることを特徴とする、請求項１〜９のいずれか一項に記載のローラーブラインド装置。
【請求項１１】
前記減衰プロフィール（２０）は、多角形断面を有する減衰ホースとして形成され、
前記断面は、
前記内部接触区間（２２）を含む凹面状の凹所を有し、かつ
前記外部接触区間（２４）を含む凸面状の凸所を有することを特徴とする、請求項１〜１０のいずれか一項に記載のローラーブラインド装置。
【請求項１２】
前記減衰プロフィール（５２０）は、好ましくは円形断面と、前記減衰ホース（５３０）から半径方向内側および／または半径方向外側へ向いたコンタクトピン（５３２）とを有する減衰ホース（５３０）として形成され、前記コンタクトピン（５３２）の遠位端（５３２ｃ）にそれぞれ内部または外部接触区間（５２２）が設けられることを特徴とする、請求項１〜１０のいずれか一項に記載のローラーブラインド装置。
【請求項１３】
前記減衰プロフィール（２０；５２０）は、非組込状態で、前記減衰プロフィールが組込状態で配設された環状空間（１６）よりも小さい内径および／または大きい外径を有することを特徴とする、請求項１〜１２のいずれか一項に記載のローラーブラインド装置。
【発明の詳細な説明】
【技術分野】
【０００１】
本発明は、引込可能な可撓性の平面構成体の収容のための主延伸方向に延伸する中空管状の巻取シャフトと、巻取シャフトの中に挿入され、かつ主延伸方向に延伸するコイルばねとして形成された巻取ばねと、巻取シャフトとコイルばねとの間の環状空間の中に配設された主延伸方向に延伸する減衰プロフィールとを有する、特に車両内で使用するために設けられたローラーブラインド装置に関する。本発明は、その際特に主延伸方向に延伸するスプリングロッドが巻取ばねの中に挿入されているようなローラーブラインド装置に関する。
【背景技術】
【０００２】
この種のローラーブラインド装置は、特許文献１から公知である。この公知のローラーブラインド装置の場合、一方でトーションスプリングと、外部に置かれるローラまたは内部に置かれるシャフトとの間にそれぞれトーションスプリングの内側または外側に当接する管が設けられている。この管の目的は、トーションスプリングの捩り時に発生する有害な騒音を低減することである。
【０００３】
ローラーブラインド装置は音響を低減するが、ローラーブラインド内壁またはシャフトに対するトーションスプリングの打ちつけを阻止しないことがローラーブラインド装置の欠点とみなされている。
【特許文献１】独国特許第２９４１７１１−Ｃ２号明細書
【発明の開示】
【発明が解決しようとする課題】
【０００４】
本発明の課題は、運転中にローラーブラインド装置の内部で発生しかつ外部へ達する音響が低減されるローラーブラインド装置を提供することである。
【課題を解決するための手段】
【０００５】
本発明により、外部接触区間により巻取シャフトの内側に、かつ内部接触区間により巻取ばねの外側に当接するように減衰プロフィールが形成された分類区分に従ったローラーブラインド装置が提案される。巻取ばねおよびスプリングロッドの協働による騒音発生に関して、外部接触区間により巻取ばねの内側に、かつ内部接触区間によりスプリングロッドの外側に当接するように、減衰プロフィールが形成された分類区分に従ったローラーブラインド装置が提案される。
【０００６】
分類区分に従ったローラーブラインド装置は、特に使用状態から非使用状態へ移行するために非使用中の可撓性の平面構成体の保管と、可撓性の平面構成体の引込みとに用いられる。この平面構成体は、引込状態では巻取シャフト上に多層に巻き上げられるのが好ましい。平面構成体の手動引出し時に巻取ばねが捩じられ、その結果、巻取ばねが平面構成体の引き出された部分に巻き戻し力をかける。巻取ばねの捩り状態における変化、つまり特に平面構成体の手動引出しならびに平面構成体の自動引戻し、ならびにローラーブラインド装置の振動は、巻取ばねをその出発位置から捩り出す巻取ばねに対して半径方向に作用する力を発生することがある。さらに外部から取り込まれた振動によっても巻取ばねの振り出しが生ずることがある。巻取ばねの振り出しは、特に巻取シャフトの内側で巻取ばねの外側の打つ付け時およびスプリングロッドの外側での巻取ばねの内側の打ち付け時に発生する有害な騒音を生じる。本発明により考慮した遊びなしにまたは広範囲に遊びなしに内部および外部に当接するそれぞれの適用目的に応じて巻取ばねと巻取シャフトとの間の環状空間の中に、および/または巻取ばねとスプリングロッドとの間の環状空間の中に設けた減衰プロフィールによって、巻取シャフトの内側またはスプリングロッドの外側への巻取ばねの激しい打ち付けが阻止される。この減衰プロフィールは、まず一方で巻取ばねと他方で巻取シャフトまたはスプリングロッドとの間の直接的な接触を阻止する。他方では、この減衰プロフィールは、自由な制動されない巻取ばねの振り出しと、それに伴って現れる巻取シャフトの内側またはスプリングロッドの外側での激しい打ちつけを阻止する。
【０００７】
減衰プロフィールは、このような振り出しが巻取ばねの捩り時に起きるのが好ましいので、その出発位置からの巻取ばねの小さい振り出しを可能にする合成樹脂またはゴムのような弾性材料から製造される。材料選択のほかに、減衰プロフィールの断面形状も、巻取ばねの制限された振り出しが可能な状態にとどまるように形成されているのが好ましい。
【０００８】
減衰プロフィールは、主延伸方向に巻取シャフトおよび巻取ばねと平行に延伸する。減衰プロフィールは、巻取ばねの全長にわたって延伸する実施形態が有利である。しかしながら目的に応じて、減衰プロフィールが巻取ばねの部分区間にのみ設けられた実施形態としてもよく、部分区間は、巻取シャフトまたはスプリングロッドでの巻取ばねの打ち付けが中間の区間でも阻止される範囲でのみ互いに離間されているのが好ましい。
【０００９】
本発明の発展的形成において、巻取ばねと巻取シャフトとの間に配設された減衰プロフィールの場合、減衰プロフィールが少なくとも１つの接触領域で巻取ばねの外側に当接し、かつ少なくとも１つの離間領域で巻取ばねの外側から離間するように減衰プロフィールの断面が形成されている。巻取ばねとスプリングロッドとの間に配設された減衰プロフィールの場合、減衰プロフィールが少なくとも１つの接触領域で巻取ばねの内側に当接し、かつ少なくとも１つの離間領域で巻取ばねの内側から離間するように、発展的形成に従って断面が形成されている。
【００１０】
このような減衰プロフィールはそれに応じて巻取ばねに接触区間でのみ当接するが、全範囲では当接しない。それによって巻取ばねは捩りの経過中または振動の経過中に僅かに離間領域で振り出すことができる。これは特に捩りに関して、巻取ばねの捩り時に制限された範囲で振り出しが普通であるため有利である。この捩りが完全に阻止されるとき、これは手動で調達される引き出し力を増大させる。特にこのような減衰プロフィールの接触区間が、接触領域において円周上でその寸法を決定しおよび／または装置に関して巻取ばねを弛緩状態で非振り出し静止位置に確実に固定することに好適であるような巻取ばねに当接する減衰プロフィールが有利である。
【００１１】
本発明の発展的形成において、減衰プロフィールが３つの接触領域で巻取ばねに当接するように、減衰プロフィールは形成されており、接触領域の間にそれぞれ１つの離間領域がある。
【００１２】
接触領域は、ここでは巻取ばねの全周囲に均一に配分されているのが好ましい。３つの接触領域を有する態様によって巻取ばねの良好な位置固定が半径方向に振り出されない状態で達成することができる。
【００１３】
本発明の発展的形成において、減衰プロフィールは、減衰中空プロフィールとして形成されている。
【００１４】
このような減衰中空プロフィールは、取り囲まれて閉鎖されており、その結果、一方では巻取ばねと他方ではスプリングロッドまたは巻取シャフトとの間の直接的な接触が確実に阻止される。さらに減衰中空プロフィールとしての形成は、簡単な方式で巻取ばねを減衰プロフィールの中に挿入し、それに続き挿入された巻取ばねを有する減衰プロフィールを巻取シャフトの中に挿入できるので組立に関しても有利である。対応して巻取ばねとスプリングロッドとの間に配設される減衰プロフィールの組立ても簡単である。
【００１５】
本発明の発展的形成において、減衰プロフィールは、円周方向に少なくとも減衰プロフィールの全長で互いに連結されていない複数の主延伸方向に延伸するプロフィール部分を有する。
【００１６】
このような分離されたプロフィール部分を有する減衰プロフィールは、円周方向に規則的な間隔で巻取ばねまたはスプリングロッド周りに配分されているプロフィール部分を有するのが好ましい。この場合、各プロフィール部分が少なくとも１つの内部接触区間と、少なくとも１つの外部接触区間とを有するように内部および外部接触区間が配設されている。それに対する選択肢として、内部接触区間を有するプロフィール部分と、外部接触区間を有する別のプロフィール部分とを設けた実施形態も考えられ、それぞれの周辺条件に応じた目的に対して好適である。円形断面を有するプロフィール部分は特に有利である。
【００１７】
プロフィール部分は、連結区間の領域で互いに連結されており、この連結区間は、好ましくは減衰プロフィールの前面に設けられている。プロフィール部分の位置安定性の向上のために、主延伸方向に規則的に互いに離間しているのが好ましい複数の連結区間を設けることも好適とすることができる。円周方向に全長にわたって連結されないプロフィール部分を有する減衰プロフィールの使用の利点は、特に材料節約および重量低減である。
【００１８】
本発明の発展的形成において、内部または外部接触区間の半径方向移動が、結果的に対向する外部または内部接触区間の同じ方向に作用する半径方向移動を生じるように、減衰プロフィールの断面が形成されている。
【００１９】
この関連性において同じ方向への移動とは、同様に半径方向外側または同様に半径方向内側へ作用する移動である。減衰プロフィールの組込状態において、このような減衰プロフィールの構成は、巻取シャフトまたはスプリングロッドに当接する接触区間が巻取ばねの振り出しへの応答により巻取シャフトまたはスプリングロッドに押圧されることになり、これが好ましくは外部接触区間の領域で減衰プロフィールの変形をもたらす。巻取ばねの振り出しが全範囲にわたって巻取シャフト側またはスプリングロッド側に当接する様々な接触区間で上昇した押圧力を生じるような構成が特に有利である。
【００２０】
本発明の発展的形成において、内部または外部接触区間の半径方向移動が、結果的に少なくとも１つの別の内部または外部接触区間の移動が生じるように、減衰プロフィールの断面が形成されている。
【００２１】
このような態様の場合、巻取ばねの振り出しと、それに伴って現れる巻取ばねに当接する接触区間の振り出しは、巻取ばねに当接する別の接触区間も移動させる。移動はその際に円周方向および／または半径方向に生じる。巻取ばねは、それによって振り出し状態でも減衰プロフィールの複数の当接する接触区間との接触した状態にとどまって、その出発位置への巻取ばねの戻りは減衰プロフィールおよび巻取ばねの相互衝突を生じない。その結果、騒音の発生が低減される。
【００２２】
本発明の発展的形成において、減衰プロフィールは多角形断面を有する減衰ホースとして形成されており、断面は内部接触区間を含む凹面状の凹所を有し、かつ外部接触区間を含む凸面状の凸所を有する。
【００２３】
多角形断面を有する減衰ホースとは、ここでは減衰ホースの断面が円形ではなく、その断面が、内壁が巻取ばねと接触している部分領域と、内壁が巻取シャフトまたはスプリングロッドと接触している別の部分領域とを有する形状付与部を有するほぼ均一の内壁強度を有する減衰ホースである。この接触区間は凹面状または凸面状に形成されている。この場合、それぞれ３つ以上の凸面状の外部接触区間と凹面状の内部接触区間とを有する実施形態が特に有利である。このような減衰プロフィールの場合、接触区間の半径方向移動は、隣接する接触区間を移動させることができて、全接触区間と巻取ばねとの間の接触が得られた状態にとどまる。
【００２４】
本発明の発展的形成において、減衰プロフィールは、円形断面と、減衰ホースから出る半径方向内側および／または半径方向外側へ向いたコンタクトピンとを有する減衰ホースとして形成され、コンタクトピンの遠位端にそれぞれ内部または外部接触区間が設けられているのが好ましい。
【００２５】
ここで弾性変形可能である接触区間の使用が特に有利である。これは、巻取ばねの振り出しに関しても、種々の巻取ローラ、巻取ばねおよび／またはスプリングロッドに対して同一のタイプの減衰プロフィールの使用に関しても有利である。
【００２６】
本発明の発展的形成において、減衰プロフィールは、非組込状態で、減衰プロフィールが組込状態で配設された環状空間よりも小さい内径および／または大きい外径を有する。
【００２７】
このような減衰プロフィールは、組込状態で、弾性変形されており、その結果、半径方向への巻取ばねの振出し時に振り出しから離間する接触区間がその弛緩状態の方向へ追従され、このように巻取ばねと接触した状態にとどまる。
【００２８】
本発明のその他の特徴は、図示したおよび後述の本発明の実施形態から明らかになる。
【発明を実施するための最良の形態】
【００２９】
図示した本発明に係るローラーブラインド装置の実施形態は、それぞれ、巻取シャフトのみを巻取ばね、減衰要素と共に、および一部はスプリングロッドと共に示す。例えば可撓性の平面構成体または取り囲むハウジングのようなローラーブラインド装置の通常のコンポーネントは、見易くするため図示していない。
【００３０】
図１ａは、本発明に係るローラーブラインド装置の巻取シャフトの第１実施形態の例で基本的な構造を示す：巻取シャフト１０の内部に巻取ばね１２が配設されており、巻取シャフト１０および巻取ばね１２は共通の主延伸方向２を有する。巻取シャフト１０と内部に置かれる巻取ばね１２との間の環状の中空空間１６の中に内部接触区間２２により巻取ばねに、かつ外部接触区間２４により巻取シャフト１２にそれぞれ遊びなしに当接する減衰プロフィール２０が挿入されている。
【００３１】
図１ｂは、図１ａに示した巻取シャフト１０を、挿入された巻取ばね１２と減衰プロフィール２０と共に、側面断面図により示す。減衰プロフィール２０は、その外部接触区間２４と共に、上述のように巻取シャフト１０の内壁１０ａに当接する。その内部接触区間２２で外部減衰プロフィール２０が巻取ばね１２の外側１２ｂに当接する。３つの内部接触区間２２および３つの外部接触区間２４は、この場合交互に減衰プロフィール２０の円周に配設されている。減衰プロフィール２０の断面は多角形の、例えば三叉の形状を有し、外部接触区間２４は面取りされた尖端の領域に、かつ内部接触区間２２は尖端の間に配設されている。外部接触区間２４の領域で外部の減衰プロフィール２０が凸面状に、かつ内部接触区間２２の領域で凹面状に形成されている。
【００３２】
図示した構成は、特に静謐な運転を保証する。減衰プロフィールは、その薄壁のかつ簡単な構成によって非常に軽く、かつ有利に製造することができる。巻取ばね１２は、減衰プロフィール２０によってその図１ａおよび１ｂに示した位置に保持されているが、それにもかかわらず減衰プロフィール２０が弾性材料から構成されるという事実と、減衰プロフィール２０の形状構成とに基づき、規定どおりの捩りに必要な範囲で振り出すことができる。巻取シャフト１０と巻取ばね１２の直接接触は、減衰プロフィール２０によって例えば振動による巻取ばねの高い半径方向加速度と同様に除外される。
【００３３】
図１ｃは、巻取ばね１２の半径方向の振り出しの場合に対する減衰プロフィール２０の挙動を示す。巻取ばねは図示した状態において僅かな距離だけ左方へ振り出されており、出発位置１２’は点線で表されている。振り出しは、当接する内部接触区間２２ａを同様に半径方向外側へ振り出しさせる。それに対する応答で、内部接触区間２２ａに隣接する外部接触区間２４ｂと２４ｃに連結する減衰プロフィール２０の連結区間２６ａは、隣接する外部接触区間２４ｂと２４ｃの周りに旋回される。これは結果的に、外部接触区間２４ｂと２４ｃが容易に矢印４の方向へ回転させられる。これは再び、それによって内部接触区間２２ｂと２２ｃの半径方向内側へ向けられた追従を生じさせる連結区間２６ａに対向する連結区間２６ｂと２６ｃの対応する回転を生じる。それによって巻取ばね１２の振り出し状態においても、３つの全ての接触区間２２ａ、２２ｂおよび２２ｃが巻取ばね１２の外側１２ｂに当接することが達成される。少なくとも僅かな振動のみでも巻取ばね１２との減衰プロフィール２０の内部区間２２ａ、２２ｂおよび２２ｃの常時接触を保証する連続的追従は、パタつきまたはガタつきのような望ましくない騒音を阻止する。
【００３４】
図１ａ〜１ｃの実施形態において、外部接触区間２４ａ、２４ｂおよび２４ｃによって規定された減衰プロフィール２０の外径は、非組込状態で、巻取シャフト１０の内径よりも大きい減衰プロフィール２０の寸法に決定することが特に有利である。それによって組込状態で達成可能の弾性的な弛緩状態は、上記追従を付加的に支援する。
【００３５】
第１実施形態の図示しない変形態様において、減衰プロフィールの断面は、円周区間が交互に内部で巻取ばねに当接し、外部で巻取シャフトに当接する取り囲まれた矩形機能の形式で形成されており、円周区間は半径方向の連結区間によって互いに連結されている。
【００３６】
図２ａ〜２ｃは、本発明に係るローラーブラインド装置の第２実施形態の巻取シャフトを示す。巻取シャフト１１０の内部に巻取ばね１１２が配設されている。このコイルばねとして形成された巻取ばね１１２は巻取ばね１１２の中に挿入されたスプリングロッド１１４によってその半径方向の移動性に関して制限されている。巻取ばね１１２とスプリングロッド１１４との間の環状空間１１８の中に減衰プロフィール１４０が配設されている。巻取シャフト１１０、巻取ばね１１２、スプリングロッド１１４および減衰プロフィール１４０は互いに平行に主延伸方向１０２に延伸する。
【００３７】
減衰プロフィール１４０は円形断面を有する減衰ホースとして形成されており、全周囲に配分されて合計３つの肥厚部１４６が設けられている。肥厚部１４６は減衰ホースから半径方向内側および外側へ延伸し、肥厚部が内部接触区間１４２と外部接触区間１４４とを形成する。内部接触区間１４２により減衰プロフィール１４０がスプリングロッド１１４に当接し、かつ外部接触区間により減衰プロフィール１４０が巻取ばね１１２に当接する。
【００３８】
図２ｃは、減衰プロフィール１４０がその出発位置１１２’から巻取ばね１１２の振出し時にどのように挙動するかを示す。減衰プロフィール１４０はその際に、スプリングロッド１１４と巻取ばね１１２との間の直接接触を阻止する。ここで肥厚部１４６ａは振り出しによって弾性的に圧縮される。それによって減衰プロフィール１４０が巻取ばねの振り出しを可能にするが、その際に巻取ばねを再びその出発位置へ押戻す。巻取ばね１１２およびスプリングロッド１１４は常に、肥厚部１４６の少なくとも１つを介して互いに間接的に接触する。
【００３９】
図３〜７は、巻取シャフト２１０、３１０、４１０、５１０及び６１０と巻取ばね２１２、３１２、４１２、５１２及び６１２との間に配設された別の減衰プロフィールの断面を示す。しかしながら同一のまたは対応して適合された形態において、減衰プロフィールはスプリングロッドと巻取ばねとの間で使用することもできる。別様に表示されていない限り、減衰プロフィールは、その全長にわたってそれぞれ図示した断面を有する。
【００４０】
図３は、本発明に係るローラーブラインド装置の減衰プロフィール２２０の特に簡単な構成を示す。この減衰プロフィール２２０はほぼ楕円形の断面を有し、それぞれ巻取シャフト２１０に当接する２つの外部接触区間２２４と、巻取ばね２１２に当接する２つの内部接触区間２２２とを有する。このような減衰プロフィール２２０は、特に少ない重量、簡単な構造ならびにそれに関連する低コストのために有利である。
【００４１】
図４ａおよび４ｂは、連結ピン３３４を介して互いに連結されている外部ホース３３０と内部ホース３３２とから構成される減衰プロフィール３２０を示す。外部ホース３３０の外面はその際に減衰プロフィールの外部接触区間３２４を形成し、内部ホース３３２の内側はその際に内部接触区間３２２を形成する。内部ホース３３２および外部ホース３３０が単に狭いピン３３４を介して互いに連結されていることによって  図４ｂに示したように、巻取ばね３１２の出発位置３１２’からの半径方向の振り出しが連結ピン３３４の同時の弾性伸展または弾性圧縮時に可能である。
【００４２】
図５ａおよび５ｂに示した減衰プロフィール４２０は、図２ａ〜２ｃの実施形態の減衰プロフィール１４０に類似している。同様にそれぞれ互いに１２０°で離間した３箇所に肥厚部４３２を有する円形のホース区間４３０を有する。この肥厚部４３２はホース４３０の円形断面から内側および外側へ延伸する。内側へ向く肥厚部４３２の区間は内部接触区間４２２を形成する。外側へ向く肥厚部４３２の区間は外部接触区間４２４を形成する。図２ａ〜２ｃの実施形態と異なり肥厚部４３２の中に中空管を設けており、これが弾性変形に対して有利である。出発位置からの巻取ばね４１２の振り出しは、図５ｂに示したように、この実施形態において、２つの肥厚部４３２ａと４３２ｂが半径方向へ圧縮され、これがホース４３０の内壁４３０を介して第３肥厚部４３２ｃの圧縮を円周方向に、かつそれによって結果的に肥厚部４３２ｃの半径方向への拡張を生じさせる。従って図５ａおよび５ｂの実施形態の場合も、少なくともより小さい巻取ばね４１２の振り出しが、巻取ばね４１２の外側の内部接触区間４２２の接触損失なしに可能であることを保証する。
【００４３】
図６ａおよび６ｂは、巻取シャフト５１０の内壁に当接するホース区間５３０と、ホース区間５３０から内側へ延伸するコンタクトピン５３２とから構成される減衰プロフィール５２０を有する実施形態を示す。ホース区間５３０はその際に、外部接触区間５２４を形成する。コンタクトピン５３２はそれぞれ、互いに折曲げた内部および外部の脚体５３２ａと５３２ｂを有する。内部脚体５３２ｂはそれぞれ巻取ばね５１２へ当接するために凹面状に形成されたコンタクトピン５３２ｃとして形成された内部接触区間５２２の中に入る。コンタクトピン５３２は、コンタクトピンが挿入された巻取ばね５１２で弾性的に予付勢されるように寸法指定されているのが好ましい。巻取ばね５１２の出発位置５１２’からのその振り出しが生じると直ちにこれは振り出しが生じる方向へ配設されたコンタクトピン５３２ａの弾性応力を増大させ、他方、対向するコンタクトピン５３２ｂが弾性的弛緩を生じるが、その際に巻取ばね５１２と接触した状態にとどまる。
【００４４】
図７は、図７の切断面で円周方向に互いに連結されていない全周囲に配分された４つのプロフィール部分６３０を使用する減衰プロフィール６２０を示す。このプロフィール部分６３０はそれぞれ円形断面を有し、プロフィール部分６３０の互いに対向する側が巻取ばね６１２に当接する内部接触区間６２２を形成し、かつプロフィール部分６３０の互いに離間した側が巻取シャフト６１０に当接する外部接触区間６２４を形成する。プロフィール部分６３０は図示した切断面の外側で上下に連結ピン６３２を介して互いに連結されており、このような連結ピン６３２は少なくとも減衰プロフィールの前面に設けられている。さらに別の連結区間６３２を減衰プロフィールの全長にわたって配分することが好適である。減衰プロフィールのこの種の構成に伴って生じる材料節約のほかに、このような減衰プロフィールの場合は巻取ばね６１２の振出し時の挙動に特に有利である。プロフィール部分６３０は制限された範囲で円周方向に移動され、その結果、プロフィール部分が同時圧縮時に弾性的に図７に示したその出発位置から振り出すことができる。従って好適に制限された巻取ばね６１２の制限された移動性が付与されている。
【図面の簡単な説明】
【００４５】
【図１ａ】斜視断面図による、減衰プロフィールを有する本発明に係るローラーブラインド装置の第１実施形態である。
【図１ｂ】側面断面図による、振出さない巻取ばね及び減衰プロフィールを有する本発明に係るローラーブラインド装置の第１実施形態である。
【図１ｃ】側面断面図による、振出した巻取ばね及び減衰プロフィールを有する本発明に係るローラーブラインド装置の第１実施形態である。
【図２ａ】斜視断面図による、減衰プロフィールを有する本発明に係るローラーブラインド装置の第２実施形態である。
【図２ｂ】側面断面図による、振出さない巻取ばね及び減衰プロフィールを有する本発明に係るローラーブラインド装置の第２実施形態である。
【図２ｃ】側面断面図による、振出した巻取ばね及び減衰プロフィールを有する本発明に係るローラーブラインド装置の第２実施形態である。
【図３】側面断面図による、本発明に係るローラーブラインド装置の第３実施形態である。
【図４ａ】側面断面図による、振出さない巻取ばねを有する本発明に係るローラーブラインド装置の第４実施形態である。
【図４ｂ】側面断面図による、振出した巻取ばねを有する本発明に係るローラーブラインド装置の第４実施形態である。
【図５ａ】側面断面図による、振出さない巻取ばねを有する本発明に係るローラーブラインド装置の第５実施形態である。
【図５ｂ】側面断面図による、振出した巻取ばねを有する本発明に係るローラーブラインド装置の第５実施形態である。
【図６ａ】側面断面図による、振出さない巻取ばねを有する本発明に係るローラーブラインド装置の第６実施形態である。
【図６ｂ】側面断面図による、振出した巻取ばねを有する本発明に係るローラーブラインド装置の第６実施形態である。
【図７】側面断面図による、本発明に係るローラーブラインド装置の第７実施形態である。
【符号の説明】
【００４６】
２    主延伸方向
１０    巻取シャフト
１２    巻取ばね
１６    環状中空空間
２０    減衰プロフィール
２２    内部接触区間
２４    外部接触区間
【図１ａ】
2008082158.tif 000003
【図１ｂ】
2008082158.tif 000004
【図１ｃ】
2008082158.tif 000005
【図２ａ】
2008082158.tif 000006
【図２ｂ】
2008082158.tif 000007
【図２ｃ】
2008082158.tif 000008
【図３】
2008082158.tif 000009
【図４ａ】
2008082158.tif 000010
【図４ｂ】
2008082158.tif 000011
【図５ａ】
2008082158.tif 000012
【図５ｂ】
2008082158.tif 000013
【図６ａ】
2008082158.tif 000014
【図６ｂ】
2008082158.tif 000015
【図７】
2008082158.tif 000016